(57)【要約】【課題】本発明は、防球用ネット体をスムーズに昇降移動して、吊り張り及び収納することができ、メンテナンスの少ない防球用ネット体の移動装置、及び防球用ネット体の移動方法を提供する。【解決手段】空間部の側面側に吊り張りする側面ネットと、天井面側に吊り張りする天井ネットと、該側面ネットの上下方向に沿って直線状に複数個取り付けられた挿通体と、該挿通体を挿通し空間部の上下方向に張設したガイド用ロープと、該ガイド用ロープに沿って平行に張設し側面ネットと天井ネットの繋ぎ部に連結した駆動用ロープから構成された防球用ネット体の移動装置において、前記側面ネットと天井ネットの繋ぎ部には、駆動用ロープとともにガイド用ロープに沿って移動し、弾性を有する調整体が連結されていることを特徴とする。【選択図】図１
2013215535.tif 000002
【特許請求の範囲】
【請求項１】
空間部の側面側に吊り張りする側面ネットと、天井面側に吊り張りする天井ネットと、該側面ネットの上下方向に沿って直線状に複数個取り付けられた挿通体と、該挿通体を挿通し空間部の上下方向に張設したガイド用ロープと、該ガイド用ロープに沿って平行に張設し側面ネットと天井ネットの繋ぎ部に連結した駆動用ロープから構成された防球用ネット体の移動装置において、前記側面ネットと天井ネットの繋ぎ部には、駆動用ロープとともに、ガイド用ロープに添って移動し弾性を有する調整体が連結されていることを特徴とする防球用ネット体の移動装置。
【請求項２】
空間部の側面側で吊り張りし、上下方向に沿って直線状に取り付けられた挿通体を空間部の上下方向に張設したガイド用ロープに挿通した側面ネット及び該側面ネットの上端側と繋いだ天井面側に吊り張りする天井ネットを、ガイド用ロープに沿って平行に張設し側面ネットと天井ネットの繋ぎ部に連結した駆動用ロープを移動して前記ガイド用ロープに沿って吊り張り移動、又はガイド用ロープに沿って収納移動する防球用ネット体の移動方法において、前記側面ネットと天井ネットの繋ぎ部を、水平外方向及び上方向より引っ張り調整しながらガイド用ロープに沿って移動することを特徴とする防球用ネット体の移動方法。
【発明の詳細な説明】
【技術分野】
【０００１】本願発明は、屋外のゴルフ練習場の外周及び天井部分沿って囲むように設けられた防球用ネット体の移動装置、及び防球用ネット体の移動方法に関するものである。
【技術の背景】
【０００２】従来、屋外のゴルフ練習場の防球用ネット体は、打ち放つ空間部の外周に沿って複数本立設した支柱の上下方向で、空間部の外周に沿ってその側面及び空間部内の天井部分を囲むように吊り張りしている。そして、強風の場合は、支柱の下方側に収納移動して風の影響を防ぐために、支柱に沿って上下方向に昇降移動する必要がある。従って、防球用ネット体は下記のような装置の構成で支柱に取り付けられている。
【０００３】即ち、支柱の下方側に形成されたウインチ台に固定されたウインチと、支柱の上端側に形成したブラッケットに取り付けられた滑車を介して支柱の上下方向に架け渡し、先端側をネット体の上端部に連結し前記ウインチで移動する駆動用ロープと、支柱ブラッケットとウインチ台（又は地面）に両端側を固定し上下方向に取り付けたガイド用ロープと、該ガイド用ロープを挿通し防球用ネット体の上下方向に直線状に取り付けられた複数のリングから構成されている。
【０００４】また、防球用ネット体は、空間部の側面に吊り張りする側面ネットと、天井部分に吊り張りする天井ネットから構成され、側面ネットの上端側で天井ネットと繋がれることで構成されている。
【０００５】そして、上記ウインチを駆動し滑車を介して駆動用ロープを支柱の上下方向で移動し、防球用ネット体をガイド用ロープに沿って昇降移動する。
【発明が解決しようとする課題】
【０００６】しかしながら、上記防球用ネット体のガイド用ロープに沿っての昇降移動時、天井ネットはその重さで中央部分が下方に垂れ下がりながら移動するために、駆動用ロープがガイド用ロープから離反する方向に強く引っ張られ、スムーズな防球用ネット体の昇降移動ができない欠点があった。
【０００７】また、ガイド用ロープの上部側も天井ネットの中央部分側への引っ張りにより内側に引っ張られ、ガイド用ロープの激しい磨耗、又は切断の原因となる欠点があった。
【０００８】また、天井ネットの中央部分側への引っ張りにより、側面ネットとの連結部分が破損しやすい欠点がある。
【０００９】また、上記天井ネットの中央側への引っ張りにより、ガイド用ロープ及び駆動用ロープへ負荷がかかり、ガイド用ロープ及び駆動用ロープが磨耗し頻繁なメンテナンスを必要とする。
【００１０】さらに、ガイド用ロープに挿通した挿通体が天井ネットの引っ張りにより移動時に磨耗し易く、挿通体の頻繁な交換を必要とする。
【００１１】そこで、本願発明は上記問題点を解決し、防球用ネット体を容易に吊り張り移動、及び収納移動でき、作業が容易な防球用ネット体の移動装置、及び防球用ネット体に移動方法を提供することを課題とする。
【課題を解決するための手段】
【００１２】上記課題を解決する手段としての防球用ネット体の移動装置は、請求項１に記載のように、空間部の側面側に吊り張りする側面ネットと、天井面側に吊り張りする天井ネットと、該側面ネットの上下方向に沿って直線状に複数個取り付けられた挿通体と、該挿通体に挿通し空間部の上下方向に張設したガイド用ロープと、該ガイド用ロープに沿って平行に張設し側面ネットと天井ネットの繋ぎ部に連結した駆動用ロープから構成された防球用ネット体の移動装置において、前駆側面ネットと天井ネットの繋ぎ部には、駆動用ロープとともに、ガイド用ロープに沿って移動し、弾性を有する調整体が連結されていることを特徴とする。
【００１３】また、課題を解決する手段としての防球用ネット体の移動方法は、請求項２に記載のように、空間部の側面側で吊り張りし、上下方向に沿って直線状に取り付けられた挿通体を空間部の上下方向に張設したガイド用ロープに挿通した側面ネット及び該側面ネットの上端側と繋いだ天井側に吊り張りする天井ネットを、ガイド用ロープに沿って平行に張設し側面ネットと天井ネットの繋ぎ部に連結した駆動用ロープを移動して前記ガイド用ロープに沿って吊り張り移動、又はガイド用ロープに沿って収納移動する防球用ネット体の移動方法において、前記側面ネットと天井ネットの繋ぎ部を、水平外方向及び上方向で引っ張り調整しながらガイド用ロープに沿って移動することを特徴とする。
【発明の作用効果】
【００１４】次に、本願発明の防球用ネット体の移動装置及び防球用ネット体の移動方法の作用効果について説明する。
【００１５】本願発明の請求項１の防球用ネット体の移動装置は、空間部の側面側で上下方向に張設したガイド用ロープに挿通体を挿通した側面ネットと、該側面ネットの上端側を繋ぎ天井部分に設けられた天井ネットと、前記ガイド用ロープに沿って平行に張設し側面ネットと天井ネットの繋ぎ部に連結した駆動用ロープから構成され、該駆動用ロープを、ウインチで移動することで、防球用ネット体をガイド用ロープに沿って移動することで、防球用ネットを吊り張り移動、又は収納移動する。
【００１６】この際、天井ネットと側面ネットの繋ぎ部にガイド用ロープに沿って移動し、弾性を有する調整体を設けることで、天井ネットの荷重による中央側への引っ張り力に応じて調製体がその弾性で逆方向に引っ張り調整するとともに駆動用ロープによる上方向への引っ張りで、天井ネットの荷重による張力を分散しながら、ガイド用ロープに沿って移動する。
【００１７】このため、天井ネットを水平に維持した状態で、スムーズに防球用ネットを昇降移動することができる。
【００１８】しかも、ガイド用ロープ及び駆動用ロープの負担も分散されているために、ガイド用ロープ及び駆動用ロープの磨耗が少なく頻繁なメンテナンスを必要としない。
【００１９】また、挿通体もガイド用ロープに沿ってスムーズに移動するために、挿通体の頻繁な交換を必要としない。
【００２０】次に、請求項２の防球用ネット体の移動方法は、空間部の側面側で上下方向に沿って直線状に取り付けられた挿通体を空間部の上下方向に張力したガイド用ロープに挿通して吊り張りする側面ネット及び天井ネットを、ガイド用ロープに沿って平行に張設し側面ネットと天井ネットの繋ぎ部に連結した駆動用ロープを移動して、ガイド用ロープに沿って吊り張り、又は収納する。
【００２１】この際、天井ネットと側面ネットの繋ぎ部を、水平外方向及び上方向で引っ張り調整しながらガイド用ロープに沿って移動する。
【００２２】従って、天井ネットの荷重による中央側への引っ張り力を分散しながらスムーズに移動することができる。
【００２３】このように、本願発明は防球用ネット体を、スムーズに移動し、ガイド用ロープ及び駆動用ロープ、挿通体の磨耗が少なく、頻繁なメンテナンスを必要としない効果を有する。
【発明を実施するための最良の形態】
【００２４】以下、本願発明の防球用ネット体の移動装置、及び防球用ネット体の移動方法の一実施例について図面を用いて説明する。【００２５】図１は本願発明の防球用ネット体の第１実施例を示す概略説明平面図であり、図２は図１の防球用ネット体の昇降移動を示す概略説明平面図であり、図３は防球用ネット体の移動方法を示すフローチャートであり、図４は本願発明の防球用ネット体の第２実施例を示す概略説明平面図であり、図５は本願発明の防球用ネット体の第３実施例を示す概略説明平面図である。
（第１実施例）【００２６】本願発明の防球用ネット体の移動装置１は、空間部の外周に設けられた複数本の支柱１０の下端側のウインチ台１１と支柱１０の上端側のブラケット１２間に張設したガイド用ロープ２と、上下方向で直線状に複数個取り付けられた挿通体３を前記ガイド用ロープ２に挿通した側面ネット４と、該側面ネット４の上端側で繋がれ空間部の天井側に設けられた天井ネット５と、該側面ネット４と天井ネット５の繋ぎ部Ａに連結し前記ガイド用ロープ２に沿って平行で、前記ウインチ台１１に取り付けられたウインチ１４で移動し、ブラケット１２に設けられた滑車１３を介して張設した駆動用ロープ６と、一端側を前記ガイド用ロープ２に挿通し他端側を繋ぎ部Ａに連結した調整体７から構成されている。【００２７】前記調整体７は、ガイド用ロープ２に挿通したリング状の挿通部７Ａと、繋ぎ部Ａに連結するグリップ７Ｂと、挿通部７Ａとグリップ７Ｂ間に設けられたばね等の弾性体７Ｃとから構成され、天井ネット５の引っ張りに応じて長さを調製しながら水平外方向へ引っ張り移動する。【００２８】前記挿通体３は、通常はリング状に形成するが本願発明において、リングに限定されるものでなく、例えば、ロープを使用して環を形成してもよく、ターンバックルのような棒状に形成してもよい。【００２９】上記のように、防球用ネット体８は、前記側面ネット４と天井ネット５から構成されている。【００３０】また、駆動用ロープ６は、巻き取り方式のウインチ１４より滑車１３を介して引き出し移動及び巻き取り移動する構成としたが、エンドレス方式のウインチ１４を用いて、滑車１３間との上下方向でエンドレス状に吊り張りする構成も可能である。【００３１】本願発明の防球用ネット体の移動装置１は上記のように構成され、次に上記装置を用いて防球用ネット体８の昇降移動について移動する。【００３２】空間部の支柱１０に沿って吊り張りされた防球用ネット体８を収納する場合は、先ず、支柱１０の下方側に設置されたウインチ１４を駆動して駆動用ロープ６をブラッケット１２に設けられた滑車１３を介して引き出し移動し、該駆動用ロープ６の先端を連結した側面ネット４と天井ネット５の繋ぎ部Ａを下方に移動する。【００３３】この際、天井ネット５は空間部の中央部分を弛ませるように引っ張りながら移動するが、繋ぎ部Ａに連結した調整体７の弾性体７Ｃで天井ネット５を水平外方向に引っ張るとともに、駆動用ロープ６で上方に引っ張りながら移動するために、天井ネット５の中央側への引っ張り力を、図２に示すように、三角状に分散して下降移動する。【００３４】従って、駆動用ロープ６が中央側に強く引っ張られることなく引き出し移動でき、スムーズなウインチ１４による防球用ネット体８の収納が行える。【００３５】しかも、ガイド用ロープ２も中央側に強く引っ張られることがないので、側面ネット４をスムーズにガイド用ロープ２に沿って下降移動できる。【００３６】しかも、天井ネット５を常に引っ張り弛ませることなく下降移動することができる。【００３７】このため、駆動用ロープ６、ガイド用ロープ２、防球用ネット体８の磨耗が少なく頻繁なメンテナンスを必要としない。【００３８】次に、収納した防球用ネット体８を再度吊り張りする場合は、上記と逆にウインチ１４で滑車１３を介して駆動用ロープ６を巻き取り移動し、該駆動用ロープ６の連結部である側面ネット４と天井ネット５の繋ぎ部Ａを上方に引っ張り移動する。【００３９】これにより、側面ネット４はガイド用ロープ２に沿って上方へ移動する。【００４０】この際、天井ネット５は中央部分が弛むように中央側に引っ張るが、繋ぎ部Ａに連結した調整体７の弾性体７Ｃの弾性により水平外方向に引っ張りながら移動するとともに、駆動用ロープ６が上方側に引っ張り移動することで天井ネット５の引っ張り力を分散して移動する。【００４１】このため、防球用ネット体８の吊り張り移動においても、収納移動の場合と同様にガイド用ロープ２に沿ってスムーズに移動することができる。
（第２実施例）【００４２】上記実施例では、ガイド用ロープ２に沿って移動する調整体７に弾性体７Ｃを設けることで天井ネット５の中央側への引っ張りに対応したが、調整体７を挿通部７Ａの設けられた巻き取りリールで構成することで、ロープ７Ｄを常に弾性体で巻き取り状態としながらガイド用ロープ２に沿って移動することで、駆動用ロープ６とともに天井ネット５の引っ張り方向の力を適切に分散して移動することができる。
（第３実施例）【００４３】また、上記駆動用ロープ６の先端側近傍に弾性体７Ｃを取り付けるとともに先端部に挿通部７Ａを形成することで、側面ネット４と天井ネット５の繋ぎ部Ａに取り付けたリング２０に、前記駆動用ロープ６を挿通しガイド用ロープ２に挿通部７Ａを挿通して連結することで、調整体７を駆動用ロープ６と一体的に構成することも可能である。【００４４】このため、防球用ネット体８の交換時に駆動用ロープ６の先端をガイド用ロープ２より取り外し、挿通体３をガイド用ロープ２より取り外すことで、容易に防球用ネット体８の交換を行える。【００４５】しかも、挿通体７の構成が簡易であるために、故障が少なくメンテナンスが容易である利点がある。
【図面の簡単な説明】
【００４６】
【図１】本願発明の防球用ネット体の移動装置の第１実施例を示す概略説明平面図
【図２】図１の防球用ネット体の昇降移動を示す概略説明平面図
【図３】本願発明の防球用ネット体の移動方法のフローチャート
【図４】本願発明の防球用ネット体の移動装置の第２実施例を示す概略説明平面図
【図５】本願発明の防球用ネット体の移動装置の第３実施例を示す概略説明平面図
【符号の説明】
【００４７】１−移動装置、２−ガイド用ロープ、４−側面ネット、５−天井ネット、６−駆動用ロープ、７−調整体、８−防球用ネット体
【図１】
2013215535.tif 000003
【図２】
2013215535.tif 000004
【図３】
2013215535.tif 000005
【図４】
2013215535.tif 000006
【図５】
2013215535.tif 000007